(57)【要約】    【課題】  形状保持性能を向上させた保形性織物を提供することにある。    【解決手段】  折り曲げられた状態を維持すべく合成樹脂により繊維状に形成された形状保持材が織り込まれてなる保形性織物であって、前記形状保持材が少なくとも二以上の異なる方向に織り込まれていることを特徴とする保形性織物を提供する。【選択図】  図１
0003117795.tif 000002
【実用新案登録請求の範囲】
【請求項１】
折り曲げられた状態を維持すべく合成樹脂により繊維状に形成された形状保持材が織り込まれてなる保形性織物であって、
前記形状保持材が少なくとも二以上の異なる方向に織り込まれていることを特徴とする保形性織物。
【請求項２】
前記形状保持材のみで形成されてなる請求項１に記載の保形性織物。
【請求項３】
前記形状保持材がポリエチレン繊維である請求項１又は２に記載の保形性織物。
【請求項４】
請求項１乃至３の織物が幅４〜１００ｍｍに形成されてなる保形性細幅織物であって、該保形性細幅織物の長手方向と、該長手方向に交差する方向とに前記形状保持材が織り込まれていることを特徴とする保形性細幅織物。
【請求項５】
請求項４に記載の保形性細幅織物が用いられていることを特徴とする保形性パイピングテープ。
【考案の詳細な説明】
【技術分野】
【０００１】
本考案は、織物に関し、形状保持性を有する合成樹脂繊維が用いられてなる織物に関する。
【背景技術】
【０００２】
従来、織物には、絹、木綿、羊毛などの天然繊維や、ポリエステル、ナイロンなどの合成繊維が縦糸や横糸として用いられている。このような織物は、通常、柔軟性を備え、折り曲げたりするなどして種々の立体形状を形成させることができる。しかし、このような織物は、織物に用いられている繊維の復元力や織物の自重などにより形成させた立体形状が変化しやすく、一旦形成させた形状のまま保持させることが困難である。
このことから、形態を保持させるべく針金などの金属繊維を織物に織り込んだ保形性織物が従来用いられたりしている。しかし、このような金属繊維を織物に織り込んだ場合は、金属繊維が上記のような天然繊維や合成繊維などと風合いを大きく異ならせることから、例えば、淡色の織物などではその美観を損ねるおそれを有している。また、金属繊維を用いた場合は、空気中の水分や酸素などで錆びを発生させるなどして織物の美観を損ねるおそれも有している。さらに、金属繊維を用いた場合は、織物の切断加工などに用いる刃物を金属繊維を切断し得るものとしなければならず、織物を容易に加工することができないという問題がある。
【０００３】
このようなことに対し、下記特許文献１には、ポリオレフィン系線条体からなる形状保持材を長手方向に配した装飾リボンが記載されている。この特許文献１に記載されている装飾リボンのような保形性織物は、装飾リボンのようにそのもの自体の装飾的美観を維持する目的のみならず、例えば、靴や衣服などの他の布製品に縫い合わされて用いられたりして、靴のかかと部の形状保持や、衣服の衿、袖などの形状を保持させたりもしている。すなわち、保形性織物は、他の製品の形状を維持させて、他の製品の美観や機能を維持させるべく用いられたりもしており、種々の形態に形状保持されることが要望されている。
【０００４】
ところで、衣服の袖口や首周り部のパイピング加工に用いるパイピングテープに用いられる細幅織物は、その長手方向と平行に折り曲げた状態で保持されることが求められている。しかし、特許文献１に記載されているような従来の保形性細幅織物では、形状保持材となるポリオレフィン系線条体が織物の長手方向の一方向にしか配されていない。したがって、従来の保形性織物は、長手方向と平行に折り曲げた状態で保持させることは困難である。
すなわち、従来の保形性織物では、形状保持材が一方向にしか配されていないため、形状保持させることが困難な折り曲げ方向があり、十分な形状保持性能が備えられていないという問題を有している。
【０００５】
〔特許文献１〕実用新案登録第３０９７０４５号公報
【考案の開示】
【考案が解決しようとする課題】
【０００６】
本考案の課題は、形状保持性能を向上させた保形性織物を提供することにある。
【課題を解決するための手段】
【０００７】
本考案は、前記課題を解決すべく、折り曲げられた状態を維持すべく合成樹脂により繊維状に形成された形状保持材が織り込まれてなる保形性織物であって、前記形状保持材が少なくとも二以上の異なる方向に織り込まれていることを特徴とする保形性織物を提供する。
【考案の効果】
【０００８】
本考案によれば、保形性織物に二以上の異なる方向に形状保持材が織り込まれていることから、一形状保持材の織り込まれた方向と平行な方向が、他形状保持材の織り込まれた方向に交差する方向となる。したがって、一形状保持材の織り込まれた方向と平行な方向であっても形状保持させることができる。すなわち、形状保持させることの困難な折り曲げ方向が形成されることを抑制することができ、形状保持性能を向上させ得る。
【考案を実施するための最良の形態】
【０００９】
以下に、本考案の好ましい実施の形態についてパイピングテープに用いる細幅保形性織物を例に図１に基づき説明する。
【００１０】
本実施形態における細幅保形性織物１は、合成樹脂により繊維状に形成された形状保持材２０が少なくとも二以上の異なる方向に織り込まれている。この細幅保形性織物１は、縦糸１２と横糸１１とにより平織りに織られており、前記形状保持材２０は、縦糸１２の一部と横糸１１とに用いられている。
【００１１】
前記細幅保形性織物１は、通常、４ｍｍから１００ｍｍの幅を有し、長さを所望の長さとしたリボン状に形成される。
【００１２】
前記形状保持材は、合成樹脂が用いられ繊維状に形成されたものを用いることができ、通常、縦糸１２の一部に用いられるものと横糸１１に用いられるものとは、略同一の太さのものを用いることができる。また、目的とする細幅保形性織物１にもよるが通常直径１ｍｍ程度以下の太さのものを用いることができ、パイピングテープに用いる細幅保形性織物１においては、１０００デニール程度のものを用いることが好ましい。
【００１３】
この形状保持材２０に用いられる合成樹脂としては、ポリエチレン、ポリアミド、ポリエステルなどを挙げることができ、なかでも、ポリエチレンは優れた柔軟性を有し、加工も容易である。
このポリエチレンを用いた形状保持材２０としては、三井化学株式会社から商品名「テクノロート」として市販のものなどを用いることができる。
【００１４】
また、この形状保持材２０以外の縦糸１２には、一般的な織物に用いる繊維を用いることができ、このような繊維としては、絹、麻、木綿、羊毛などの天然繊維、アクリル、ポリエステル、ポリアミド、ポリイミド、ポリウレタン、ポリエチレン、ポリプロピレン、ポリ塩化ビニル、ポリ塩化ビニリデン、ポリビニルアルコール、ポリフッ化ビニリデンなどの合成樹脂繊維、アセテート、プロミックスなどの半合成繊維、レーヨン、ポリノジックなどの再生繊維などを用いることができる。
また、要すれば、これらの繊維を組み合わせて用いてもよく、これらの繊維同士の混紡繊維を用いることもできる。
また、本実施形態の細幅保形性織物１は、着色するなどして審美性を高めることも可能である。
【００１５】
このような細幅保形性織物１を用いたパイピングテープは、例えば長手方向に２つ折りにされて衣服の袖口に縫い付けられたりして用いられる。このとき、パイピングテープの幅方向（横糸方向）にも形状保持材２０が配されていることから、前記２つ折りの形状を保持させることができる。したがって、パイピングテープを袖口に縫い付ける時にパイピングテープの２つ折りの形状を保持するために手で抑えたり、あるいは器具により保持したりする手間を省くことができ、縫い付け作業を簡略化させ得る。しかも、縫い付け後の形状保持性能も優れることから袖口の型崩れが抑制され衣服の審美性を向上させ得る。
【００１６】
なお、本実施形態においては、保形性織物として、長手方向と平行に折り曲げて形状保持することが求められ、本考案の効果をより顕著なものとし得る点においてパイピングテープを例に説明したが、本考案においては、保形性織物をパイピングテープに限定するものではない。
【００１７】
また、本実施形態においては、保形性織物を平織りされたものを例に説明したが、本考案においては、保形性織物を平織りされたものに限定するものではなく、三軸織物や、四軸織物など種々の織り構造の織物とすることができる。
また、本実施形態においては、形状保持性を有しつつ適度な風合いとさせ得る点において、縦糸の一部に形状保持材を用いる場合を例に説明したが、本考案においては、保形性織物を、形状保持材を縦糸の一部に用いる場合に限定するものではなく、縦糸、横糸の全部を形状保持材で形成させた保形性織物も本考案の意図する範囲である。
この縦糸、横糸の全部に形状保持材が用いられ、形状保持材のみで形成された保形性織物は特に優れた形状保持性能を有するものとなる。
【図面の簡単な説明】
【００１８】
【図１】一実施形態の細幅保形性織物を示す斜視図。
【符号の説明】
【００１９】
１：細幅保形性織物、１１：横糸、１２：縦糸、２０：形状保持材
【図１】
0003117795.tif 000003